(57)【特許請求の範囲】
【請求項１】
スクリーンの下端に取り付けられると共に、昇降コードの端部が取り付けられて、昇降コードをスクリーンに連結する昇降コード連結具において、
昇降コード連結具は、連結具本体（１２）と、昇降コードの端部が取り付けられる筒状クリップ（１４）と、からなり、
連結具本体（１２）は、連結具本体（１２）内部にあって筒状クリップ（１４）を収容するための収容部（１２ｂ）と、連結具本体（１２）側面に形成され、前記収容部（１２ｂ）に筒状クリップ（１４）を側方から出入させるために筒状クリップ（１４）が挿通可能となった開口部（１２ｃ）と、開口部（１２ｃ）から上下方向に伸びて筒状クリップ（１４）が挿通不能で昇降コードが挿通可能となったスリット（１２ｄ）とを備え、さらに、前記収容部（１２ｂ）は、昇降コードの張力により前記筒状クリップ（１４）が引っ張られる方向への該筒状クリップ（１４）の移動を規制する壁部（１２ｅ）を備えることを特徴とする昇降コード連結具。
【請求項２】
前記筒状クリップ（１４）には、その端部に先端に向かうに従って外径が細くなる先細り部（１４ｂ）が形成されており、前記収容部（１２ｂ）の壁部は該先細り部（１４ｂ）に対応して、該先細り部（１４ｂ）を押し付けるテーパー面（１２ｅ）となっていることを特徴とする請求項１記載の昇降コード連結具。
【請求項３】
前記連結具本体（１２）は、スクリーンの下端付近に連結可能なフック部（１２ａ）を有することを特徴とする請求項１または２に記載の昇降コード連結具。
【発明の詳細な説明】
【０００１】
【発明の属する技術分野】
本発明は、スクリーンの下端に取り付けられると共に、昇降コードの端部が取り付けられて、昇降コードをスクリーンに連結する昇降コード連結具に関する。
【０００２】
【従来の技術】
従来の昇降コード連結具としては、図８に示したものがある。この昇降コード連結具３０では、昇降コード１６の端部が固定されるクリップ３４と、クリップ３４を挿入可能な中空筒状の連結具本体３２と、から構成される。連結具本体３２には、その上面から側面中央部付近にわたって伸びるスリット３２ａが形成されている。そして、昇降コード１６のスクリーンＳへの連結は次のように行われる。
【０００３】
▲１▼  スクリーンＳ裏面に上下方向に所定間隔毎に取り付けられた複数のコードリングＲに昇降コード１６の端部を挿通させて、最下端のコードリングＲに挿通される前にその昇降コード１６の端部を連結具本体３２に挿通させる。
【０００４】
▲２▼  連結具本体３２を挿通した昇降コード１６の端部を最下端のコードリングＲに挿通させて、次いで、クリップ３４に挿通させた後、結び目１６ａを作り、クリップ３４から抜けないようにする。
【０００５】
▲３▼  昇降コード１６を上方に折り返して、クリップ３４を連結具本体３２の上面に形成される開口部より連結具本体３２内に挿入し、同時に昇降コード１６はスリット３２ａから連結具本体３２の外部へ取り出し、クリップ３４とスリット３２ａ端部との間で昇降コード１６を挟み付ける。
【０００６】
【発明が解決しようとする課題】
しかしながら、かかる従来の昇降コード連結具３０にあっては、昇降コード１６にかかるスクリーンの自重によって、クリップ３４が連結具本体３２内へと押し込まれて強固に嵌合する傾向があり、従って、スクリーンＳの洗濯・交換時に昇降コード１６とスクリーンＳとの連結を解除しなければならない場合に、クリップ３４を連結具本体３２から取り外すことができなくなり、昇降コード１６を引っ張れば引っ張るほど、クリップ３４が連結具本体３２内へと押し込まれて、取り外すのが困難になるという課題がある。また、クリップ３４を連結具本体３２から取り外せたとしても、部品がバラバラになるため、部品の紛失などが起こり易いという課題がある。
【０００７】
本発明はかかる従来の課題に鑑みなされたもので、昇降コードのスクリーンへの連結・連結解除を簡単に行うことができる昇降コード連結具を提供することをその目的とする。
【０００８】
【課題を解決するための手段】
前述した目的を達成するために、請求項１記載の発明は、スクリーンの下端に取り付けられると共に、昇降コードの端部が取り付けられて、昇降コードをスクリーンに連結する昇降コード連結具において、
昇降コード連結具は、連結具本体と、昇降コードの端部が取り付けられる筒状クリップと、からなり、
連結具本体は、連結具本体内部にあって筒状クリップを収容するための収容部と、連結具本体側面に形成され、前記収容部に筒状クリップを側方から出入させるために筒状クリップが挿通可能となった開口部と、開口部から上下方向に伸びて筒状クリップが挿通不能で昇降コードが挿通可能となったスリットとを備え、さらに、前記収容部は、昇降コードの張力により前記筒状クリップが引っ張られる方向への該筒状クリップの移動を規制する壁部を備えることを特徴とする。筒状クリップを側方から連結具本体の収容部に挿入させるようにしたため、筒状クリップが、スクリーンの自重の作用による昇降コードの張力を受けて、収容部内で上下方向のいずれかに押し込まれたとしても、筒状クリップを収容部から簡単に取り出すことができ、従って、簡単に昇降コードのスクリーンへの連結を解除することができる。
【０００９】
請求項２記載の発明は、請求項１記載の前記筒状クリップに、その端部に先端に向かうに従って外径が細くなる先細り部が形成されており、前記収容部の壁部は該先細り部に対応して、該先細り部を押し付けるテーパー面となっていることを特徴とする。昇降コードの張力により筒状クリップが収容部内で上下方向のいずれかに押し込まれて、壁部の方へ移動した場合に、壁部のテーパー面が筒状クリップの先細り部を内径方向に押し付けて、筒状クリップと連結具本体との結合を強固のものとする。
【００１０】
請求項３記載の発明は、請求項１または２に記載の前記連結具本体が、スクリーンの下端付近に連結可能なフック部を有することを特徴とする。連結具本体はフック部に連結されるため、筒状クリップを連結具本体の収容部から取り外して、昇降コードとスクリーンとの連結を解除した後であっても、連結具本体はスクリーンに連結させた状態とすることができ、部品がバラバラになったり、紛失したり、といったことを防ぐことができる。
【００１１】
【発明の実施の形態】
以下、図面を用いて本発明の実施の形態を説明する。図１ないし図７は本発明に係る昇降コード連結具の実施形態を表す図である。
【００１２】
この昇降コード連結具１０は、連結具本体１２と筒状クリップ１４とから構成される。
【００１３】
連結具本体１２には、スクリーンＳに形成されたコードリングＲに引っ掛けるためのフック部１２ａが下方に形成されている。フック部１２ａを除く連結具本体１２の内部は、クリップ１４を収容するための収容部１２ｂとなっており、連結具本体１２の側面にこの収容部１２ｂに連通する開口部１２ｃが形成されて、この開口部１２ｃを通してクリップ１４を収容部１２ｂへと出し入れすることができるようになっている。開口部１２ｃよりも上の部分は、収容部１２ｂ及び開口部１２ｃに連通し且つ開口部１２ｃよりも幅の狭いスリット１２ｄとなっており、スリット１２ｄの部分は、クリップ１４が挿通することができず、昇降コード１６のみが挿通可能となっている。スリット１２ｄは、連結具本体１２の頂面まで伸び、その端部は昇降コード挿通孔１２ｆとなっている。
【００１４】
クリップ１４には、上下方向に貫通する貫通孔１４ａが形成されており、図３に示したように、この貫通孔１４ａは、上部分が下部分よりも縮径された孔となっており、昇降コード１６の結び目１６ａが貫通孔１４ａ内において、下部分にのみ挿入され、上部分には移動できないようになっている。この貫通孔１４ａの孔径の変化に合わせて、クリップ１４の外形もその上部分が、上方に行くに従って外径が漸次小さくなる先細り部１４ｂとなっており、前記連結具本体１２の収容部１２ｂの中のクリップ１４の上方移動を規制するための上壁部分は、このクリップ１４の先細り部１４ｂに合致して、上方に行くに従って内径が漸次小さくなる形状となったテーパー面１２ｅ（壁部）となっている。
【００１５】
以上のような昇降コード連結具１０を用いて昇降コード１６をスクリーンに取付けるには、次のような手順で行う。まず、昇降コード１６の端部をクリップ１４の貫通孔１４ａの上方から通した後、結び目１６ａを作り、この結び目１６ａをクリップ１４の貫通孔１４ａの下部分に収めて、係止させる（図３）。
【００１６】
こうして昇降コード１６の端部に一体的に取付けられたクリップ１４をスクリーンのコードリングＲに順次挿通させておく。次いで、クリップ１４を連結具本体１２の開口部１２ｃに通し、クリップ１４から上方に伸びる昇降コード１６を、スリット１２ｄに通して、クリップ１４を連結具本体１２の収容部１２ｂに収める。このとき、開口部１２ｃの高さは、クリップ１４の高さよりも小さくなっているため、図４に示すように、クリップ１４を斜めにして押し入れる。そして、昇降コード１６をスリット１２ｄ内を上方へと移動させて連結具本体１２の頂面の昇降コード挿通孔１２ｆ迄、持っていく。また、連結具本体１２のフック部１２ａをスクリーンの通常最下端にあるコードリングＲに引っ掛けることで、昇降コード１６がスクリーンに連結される（図５）。
【００１７】
昇降コード１６にスクリーンＳの自重がかかり、結び目１６ａにクリップ１４を介して下向きの力が作用すると、クリップ１４には昇降コード１６から上向きの力が作用するが、これにより、クリップ１４の先細り部１４ｂが、連結具本体１２の収容部１２ｂのより内径の小さくなるテーパー面１２ｅ形成部分へと押し込まれるため、クリップ１４の先細り部１４ｂが内径方向に押し付けられて、昇降コード１６をより強固に締付けることになる。こうして、昇降コード１６は確実に昇降コード連結具１０に取付けられ、昇降コード連結具１０を介してスクリーンＳに連結される。
【００１８】
次に、この昇降コード１６を昇降コード連結具１０から取り外すには、昇降コード１６を連結具本体１２のスリット１２ｄに通して、連結具本体１２の開口部１２ｃより外に出して、さらに、昇降コード１６を下方に引くことで、クリップ１４を連結具本体１２の収容部１２ｂ内の下方へと押し戻す（図６）。次に、図７に示すように、昇降コード１６を斜め上方に引っ張ると、クリップ１４が開口部１２ｃより外に出て、こうして、連結が解除される。そして、昇降コード１６の端部にクリップ１４が係止されたままクリップ１４をコードリングＲに順次挿通させていくことで、スクリーンが昇降コード１６から完全に分離されて、スクリーンＳの洗濯・交換が可能となる。このコードリング挿通作業の際に、クリップ１４はその上部分が先細り部１４ｂとなっているため、コードリングＲにクリップ１４が引っかかったりせずに、簡単に挿通作業を行うことができる。クリップ１４は、昇降コード１６の端部に一度、取付けた後は、昇降コード１６を交換する以外は取り外す必要はない。また、連結具本体１２はそのフック部１２ａをコードリングＲに引っかけたままとしておけば、部品がバラバラになることはなく、部品の紛失が防げる。
【００１９】
以上のように本発明では、連結具本体１２の側面に形成された開口部１２ｃからクリップ１４を連結具本体１２内へと挿入させるため、昇降コード１６に自重がかかりクリップ１４が連結具本体１２の上部に押し込まれたとしても、横方向からクリップ１４の出入を行うことができ、クリップ１４が連結具本体１２から取り外し不能になることはない。
【００２０】
【発明の効果】
以上説明したように本発明によれば、筒状クリップを側方から連結具本体の収容部に挿入させるようにしたため、筒状クリップが収容部内で上下方向のいずれかに押し込まれたとしても、筒状クリップを収容部から簡単に取り出すことができ、従って、簡単に昇降コードのスクリーンへの連結を解除することができる。
【図面の簡単な説明】
【図１】本発明の実施形態による昇降コード連結具の斜視図である。
【図２】図１の昇降コード連結具の側面図である。
【図３】昇降コードの連結前の状態を表す図１の昇降コード連結具の断面図である。
【図４】図３に続き、昇降コード連結途中を表す断面図である。
【図５】昇降コードの連結が終了した状態を表す断面図である。
【図６】昇降コードの連結解除途中を表す断面図である。
【図７】図６に続き、昇降コードの連結解除途中を表す断面図である。
【図８】従来の昇降コード連結具を表す斜視図であり、（ａ）は連結前の状態、（ｂ）は連結後の状態を表す。
【符号の説明】
１０  昇降コード連結具
１２  連結具本体
１２ａ  フック部
１２ｂ  収容部
１２ｃ  開口部
１２ｄ  スリット
１２ｅ  テーパー面（壁部）
１４  筒状クリップ
１４ｂ  先細り部
【図１】
0003646054.tif 000002
【図２】
0003646054.tif 000003
【図３】
0003646054.tif 000004
【図４】
0003646054.tif 000005
【図５】
0003646054.tif 000006
【図６】
0003646054.tif 000007
【図７】
0003646054.tif 000008
【図８】
0003646054.tif 000009